(57)【要約】【課題】上下風向変更羽根の断熱材を貼り付けずに、断熱性を維持したまま見栄えを良くして品質の向上を図り、リサイクル性の向上も図る。【解決手段】送風ファン４と、送風ファン４によって生じる風を吹き出す吹出し口３と、吹出し口３に上下風向変更羽根１とを具備した空気調和機５であって、上下風向変更羽根１は、箱部１ｂと中空用蓋１ａとを接合して中空部２を有する箱状とすることにより、中空部２で断熱材貼り付けと同等の断熱性能を維持すると共に、従来のような複数の断熱材貼り付け作業に対する作業者の熟練度が要求されず、ばらつきを防止した安定した品質の確保と、工数の低減を図ることができる。【選択図】図３
2009014289.tif 000002
【特許請求の範囲】
【請求項１】
送風ファンと、前記送風ファンによって生じる風を吹き出す吹出し口と、前記吹出し口に配置され前記空気の上下方向の向きを変える上下風向変更羽根とを具備した空気調和機であって、前記上下風向変更羽根は、箱部と中空用蓋とを接合して中空部を有する箱状としたことを特徴とする空気調和機。
【請求項２】
箱部と中空用蓋との接合手法として、振動溶着を用いて溶着したことを特徴とする請求項１に記載の空気調和機。
【請求項３】
箱部と中空用蓋との接合手法として、超音波溶着を用いて溶着したことを特徴とする請求項１に記載の空気調和機。
【請求項４】
箱部と中空用蓋との接合手法として、接着剤を用いて接着した事を特徴とする請求項１に記載の空気調和機。
【請求項５】
箱部と中空用蓋との接合に接着剤を用いて接着し、さらに前記接着剤として同一材料を溶かし込んだドープセメントを用いた事を特徴とする請求項４に記載の空気調和機。
【発明の詳細な説明】
【技術分野】
【０００１】
本発明は室内の冷房を行う空気調和機の上下風向変更羽根の断熱構造に関するものである。
【背景技術】
【０００２】
一般に空気調和機の室内ユニットの吹出口には、冷温風の風向を制御するために上下風向変更羽根および左右風向変更羽根が設けられていて、一般的に上下風向変更羽根に複数の断熱材を貼り付けて羽根に生じる結露を防止したものや、特許文献のような上下羽根の風向を中央と左右で変えた工夫もなされている（例えば、特許文献１参照）。
【特許文献１】特開平７−２３４００６号公報
【発明の開示】
【発明が解決しようとする課題】
【０００３】
しかしながら、とくに１枚で構成された上下風向変更羽根の結露において、上下風向変更羽根裏面に断熱材を貼り付けて、羽根に生じる結露を防止する方法では、デザイン的に見栄えも悪く、断熱材の材料コスト及び貼り付け工数がかかるうえに、特殊な発砲ポリエチレン材料を断熱材として貼り付けるために、リサイクル時に断熱材の分別が必要になるなど廃棄後の環境対応が困難であるという課題を有していた。また、１枚で風向変更する場合、上下風向変更羽根の中央の厚みを大きくし、左右を薄くすると上下風向変更羽根の支持部の外観にひけが発生するため支持部の形状を複雑に形成する必要があった。
【課題を解決するための手段】
【０００４】
前記従来の課題を解決するために、本発明の空気調和機の上下風向変更羽根は、箱状に形成した箱部と中空用蓋を接合して中空部を形成し、中空構成の上下風向変更羽根とすることで断熱材貼り付けと同等の断熱性能を維持することができる。
【発明の効果】
【０００５】
本発明の上下風向変更羽根は、従来と同等の断熱性能を維持しながら、外観のデザイン性向上、部品完成度のばらつき防止が期待でき、また部品のリサイクル容易化も可能となる。
【発明を実施するための最良の形態】
【０００６】
第１の発明は、送風ファンと、前記送風ファンによって生じる風を吹き出す吹出し口と、前記吹出し口に上下風向変更羽根とを具備した空気調和機であって、前記上下風向変更羽根は、箱部と中空用蓋とを接合して中空部を有する箱状とすることにより、中空部で断熱材貼り付けと同等の断熱性能を維持すると共に、従来のような複数の断熱材貼り付け作業に対する作業者の熟練度が要求されず、ばらつきを防止した安定した品質の確保と、工数の低減を図ることができる。
【０００７】
第２の発明は、特に第１の発明の箱部と中空蓋との接合に振動溶着を用いたもので、接着強度が強く、母材の表面を溶かすことによる接合のため、同一材料での構成が可能となり、リサイクルの容易化を図ることができる。
【０００８】
第３の発明は、特に第１の発明の箱部と中空蓋との接合に超音波溶着を用いたもので、接着強度が強く、母材の表面を溶かすことによる接合のため、同一材料での構成が可能となり、リサイクルの容易化を図ることができる。また、設備が振動溶着より簡易なため、より低い開発費用で前記発明の効果を得ることができる。
【０００９】
第４の発明は、特に第１の発明の箱部と中空蓋との接合に接着剤による接着を用いたもので接着強度が強く、また特別な専用設備を必要としないため、より低い開発費用、また短い開発時間で前記発明の効果を得ることができる。
【００１０】
第５の発明は、特に第１、４の発明の箱部と中空蓋との接合に接着剤による接着を用い、さらに前記接着剤として母材と同一材料を溶かし込んだドープセメントを用いたもので、接着強度が強く、また特別な専用設備を必要としないため、より低い開発費用、また短い開発時間で前記発明の効果を得ることができる。さらに溶剤が揮発した後は母材と同一材料だけの構成となるため、リサイクルの容易化を図ることができる。
【００１１】
以下、本発明の実施の形態について、図面を参照しながら説明する。なお、この実施の形態によって本発明が限定されるものではない。
【００１２】
（実施の形態１）
図１は、本発明の第一の実施の形態における空気調和機の正面図、図２は、図１のＢ−Ｂ断面図、図３は、同空気調和機の上下風向変更羽根の箱部と中空用蓋の分解斜視図で、図４は、従来の上下風向変更羽根と断熱材の斜視図である。なお、従来と同一部分については、同一符号を付してその説明を省略する。
【００１３】
図２において、空気調和機本体５は前面下部に吹出し口３を有し、吹出し口３内部の上側に熱交換器６と送風ファン４とが取付けられている。そして、吹出し口３には中空部２を形成した上下風向変更羽根１を配設する。
【００１４】
次に、上下風向変更羽根１の接合部の構成について、図３，４を用いて説明する。図に示すように、上下風向変更羽根１は、同一材料で成形された中空用蓋１ａと箱部１ｂとを接合して構成されており、中空用蓋１ａと箱部１ｂは外周部７、８で接着され、中空部２を設けて構成している。
【００１５】
その接合方法としては、振動溶着、超音波溶着、又は接着剤を用いるのが良く、特に接着剤としては同一材料を溶かし込んだドープセメントを用いることが好適である。すなわち、振動溶着を用いれば接着強度が強く、母材の表面を溶かすことによる接合のため同一材料での構成が可能となり、リサイクルの容易化を図ることができる。
【００１６】
また、超音波溶着を用いれば、接着強度が強く、母材の表面を溶かすことによる接合のため同一材料での構成が可能となり、リサイクルの容易化を図ることができるとともに、設備が振動溶着より簡易なため、より低い開発費用で前記発明の効果を得ることができる。
【００１７】
また、接着剤を用いれば、接着強度が強く、また特別な専用設備を必要としないため、より低い開発費用、また短い開発時間で前記発明の効果を得ることができる。
【００１８】
さらに、接着剤として母材と同一材料を溶かし込んだドープセメントを用いれば、接着強度が強く、また特別な専用設備を必要としないため、より低い開発費用、また短い開発時間で前記発明の効果を得ることができるとともに、溶剤が揮発した後は母材と同一材料だけの構成となるため、リサイクルの容易化を図ることができる。
【００１９】
以上のように構成された空気調和機の動作、作用について説明する。空気調和機本体５の冷房運転時において、熱交換器６を通過し冷却された風が送風ファン４によって吹出し口３で風向きを上側にする運転モードにおいて、上下風向変更羽根１の外側と内側の温度
差が生じるため、上下風向変更羽根１の外側に結露が発生しやすい状態となる。その際、上下風向変更羽根１の中空用蓋１ａと箱部１ｂで構成された中空部２の断熱効果により冷房時の結露を防止することができる。
【００２０】
上記構成により、断熱材貼付けと同等の断熱性能を維持しながら、断熱材を省略することができるため、運転中ユーザーから断熱材が見えてしまう心配がなく、外観のデザイン性向上が可能となる。また作業者による断熱材貼付工程が無いため、部品完成度のばらつき防止も期待できる。更に部品の解体時に、材質の異なる断熱材を分別する必要がないため、リサイクルが用意になり環境負荷の低減を図ることができる。
【産業上の利用可能性】
【００２１】
本発明の空気調和機の断熱構造は、従来と同等の断熱性能を維持しながら、デザイン性向上、部品完成度のばらつき防止、また環境負荷の低減が可能となるので、断熱構造を必要とする各種機器、装置に適用できる。
【図面の簡単な説明】
【００２２】
【図１】本発明の実施の形態１における空気調和機の正面図
【図２】図１のＢ−Ｂ断面図
【図３】同空気調和機の上下風向変更羽根の分解斜視図
【図４】従来の上下風向変更羽根の分解斜視図
【符号の説明】
【００２３】
１  上下風向変更羽根
１ａ  中空用蓋
１ｂ  箱部
２  中空部
３  吹出し口
４  送風ファン
５  空気調和機本体
６  熱交換器
７  中空用蓋外周部
８  箱部外周部
９  支持部
【図１】
2009014289.tif 000003
【図２】
2009014289.tif 000004
【図３】
2009014289.tif 000005
【図４】
2009014289.tif 000006